(57)【要約】【課題】データベースの中から文書を検索した検索結果を表示する際に、ユーザに有効な説明文を付した検索結果を表示する。【解決手段】提供装置１０から送信された検索条件を含む検索リクエストを受信する受信部２１１と、検索条件に該当する検索文書を記憶装置２２から検索する検索部２１２と、検索文書に関する検索結果を提供装置１０に送信する送信部２１３を有するデータベースサーバ２０と、ユーザ端末３０から検索条件及び表示条件を受信する受信部１１１と、検索条件を含む検索リクエストをデータベースサーバ２０に送信する要求部１１２と、データベースサーバ２０から送信された検索結果を取得する取得部１１３と、検索文書の識別子に表示条件に該当する検索文書の説明文を関連付けた結果データを生成する生成部１１４と、結果データをユーザ端末３０に送信する送信部１１５を有する提供装置１０を備える。【選択図】      図１
2008097433.tif 000002
【特許請求の範囲】
【請求項１】
文書を記憶する記憶装置から条件に従って文書を検索するデータベースサーバと、ユーザ端末から受信した条件に従って前記データベースサーバで検索された結果を前記ユーザ端末に提供する提供装置とを備える検索システムであって、
前記データベースサーバは、
前記提供装置から送信された検索条件を含む検索リクエストを受信する受信部と、
前記検索条件に該当する検索文書を前記記憶装置から検索する検索部と、
前記検索部で検索された検索文書に関する検索結果を前記提供装置に送信する送信部とを有し、
前記提供装置は、
前記ユーザ端末から検索条件及び表示条件を受信する受信部と、
前記検索条件を含む検索リクエストを前記データベースサーバに送信する要求部と、
前記データベースサーバから送信された前記検索結果を取得する取得部と、
前記検索文書の識別子に、前記表示条件に該当する前記検索文書の説明文を関連付けた結果データを生成する生成部と、
前記結果データを前記ユーザ端末に送信する送信部とを有する
ことを特徴とする検索システム。
【請求項２】
文書を記憶する記憶装置から条件に従って文書を検索するデータベースサーバと接続され、ユーザ端末から受信した条件に従って前記データベースサーバで文書が検索された結果を前記ユーザ端末に提供する提供装置であって、
前記ユーザ端末から検索条件及び表示条件を受信する受信部と、
前記検索条件を含む検索リクエストを前記データベースサーバに送信する要求部と、
前記データベースサーバから送信された前記検索条件に該当する検索文書に関する検索結果を取得する取得部と、
前記検索文書の識別子に、前記表示条件に該当する前記検索文書の説明文を関連付けた結果データを生成する生成部と、
前記結果データを前記ユーザ端末に送信する送信部と、
を有することを特徴とする提供装置。
【請求項３】
前記生成部は、
前記検索文書から前記表示条件に該当する所定部分を検索する検索手段と、
前記検索文書に前記表示条件に該当する所定部分が含まれる場合、前記所定部分を前記検索文書から抽出し、前記検索文書に前記表示条件に該当する所定部分が含まれない場合、前記検索条件に該当する所定部分を前記検索文書から抽出する抽出手段と、
前記検索文書の識別子に、前記検索文書から抽出された所定部分を関連付けて並列した結果データを生成する並列手段と、
を有することを特徴とする請求項２記載の提供装置。
【発明の詳細な説明】
【技術分野】
【０００１】
本発明は、入力されたキーワードに従って文書を検索して検索結果を提供する検索システム及び提供装置に関する。
【背景技術】
【０００２】
従来、入力されたキーワードに従って文書を検索して提供するシステムが広く利用されている。例えば、検索エンジンを利用したWebページの検索の場合、ユーザ端末では、ユーザによって入力装置を介して入力されたキーワードに関するWebページの検索を検索エンジンに要求する。検索エンジンは、ユーザ端末からの要求に応じてデータベースからキーワードを含むWebページを検索する。その後、ユーザ端末は検索されたWebページに関するデータを検索結果として検索エンジンから受信し、検索の結果画面をディスプレイに出力する。検索結果の結果画面は、Webページのタイトル、URL及び説明文等を含んでいる。結果画面に含まれる説明文は、Webページのテキスト文から、検索時に使用されたキーワードを含む所定の文字数の部分が抽出される等の方法で生成される文章であり、ユーザによってWebページの内容を把握する際に利用される。
【０００３】
例えば、図９に示す結果画面P10の一例では、検索条件であるキーワードとして「時刻表」、「東京」、「高速バス」及び「平日」を検索条件入力部b100に入力した場合の検索の結果である。検索条件入力部b100にキーワードが入力された後に実行ボタンb101が押下されると、検索エンジンによって該当するWebページが検索される。
【０００４】
図９に示す結果画面P10は、「時刻表」、「東京」、「高速バス」及び「平日」を含むWebページのタイトルb102、識別子（URL）b103及び説明文b104を検索結果として含んでいる。ユーザは、結果画面P10に含まれるWebページのURLb103を元に、WebサイトにアクセスしてWebページを参照することができる。説明文b104は限られた文字数でWebページの内容を説明するものであり、上述したように、ユーザは、Webページの内容を把握するためにURLb103と対応する説明文b104の記載を利用することもある。
【０００５】
しかしながら、ユーザにとっては従来のように、単にWebページ等の検索に使用したキーワードに基づいて生成された説明文が文書の内容を把握するのに有効でない場合もある。例えば、キーワードの数が多い場合、限られた文字数の説明文におけるキーワードの割合が多くなり、各文書の説明文から検索された各文書の特徴を把握することが難しくなることもある。
【０００６】
たとえば、Webデータ等のコンテンツに関してキーワードを利用してマップを生成し、ユーザに対してコンテンツの内容を視覚化する技術がある（例えば、特許文献１参照）。この特許文献１に記載される技術では、Webデータ等のコンテンツから抽出されたキーワードに基づき、予め存在するシーソラスを利用してコンテンツの内容についてマップを生成して視覚化している。
【特許文献１】特開2005−107688号公報
【発明の開示】
【発明が解決しようとする課題】
【０００７】
上述したように、従来の検索エンジンを利用したWebページの検索では、検索結果として表示される説明文がユーザの求める観点から生成されたものでなく、ユーザにとって有効でないことが多い。また、特許文献１に記載する技術では、Webデータの内容を視覚化することができるが、この場合にもユーザが求める観点から視覚化されているのではないため、ユーザにとって有効でないことがある。
【０００８】
従って本発明は、入力したキーワードに従ってデータベースの中から文書を検索した文書の検索結果を表示する際に、ユーザに有効な説明文を付した検索結果を表示することが可能な検索システム及び提供装置を提供することを目的とする。
【課題を解決するための手段】
【０００９】
本発明の特徴に係る検索システムは、文書を記憶する記憶装置から条件に従って文書を検索するデータベースサーバと、ユーザ端末から受信した条件に従ってデータベースサーバで検索された結果をユーザ端末に提供する提供装置とを備える検索システムであって、データベースサーバは、提供装置から送信された検索条件を含む検索リクエストを受信する受信部と、検索条件に該当する検索文書を記憶装置から検索する検索部と、検索部で検索された検索文書に関する検索結果を提供装置に送信する送信部とを有し、提供装置は、ユーザ端末から検索条件及び表示条件を受信する受信部と、検索条件を含む検索リクエストをデータベースサーバに送信する要求部と、データベースサーバから送信された検索結果を取得する取得部と、検索文書の識別子に、表示条件に該当する検索文書の説明文を関連付けた結果データを生成する生成部と、結果データをユーザ端末に送信する送信部とを有する。
【発明の効果】
【００１０】
本発明によれば、入力されたキーワードに従ってデータベースの中から文書を検索した検索結果を表示する際に、ユーザに有効な説明文を付した検索結果を表示することが可能な検索システム及び提供装置を提供することができる。
【発明を実施するための最良の形態】
【００１１】
［第１の実施形態］
第１の実施形態に係る検索システム１は、図１に示すように、提供装置１０、データベースサーバ２０及びユーザ端末３０がネットワーク４０を介して接続されている。
【００１２】
提供装置１０は、ユーザ端末３０から検索条件であるキーワードを受信すると、受信したキーワードに関する文書の検索を要求する検索リクエストをデータベースサーバ２０に送信する。データベースサーバ２０は、提供装置１０から検索リクエストを検索すると、記憶装置２２から該当する文書を検索し、検索結果を提供装置１０に送信する。提供装置１０は、データベースサーバ２０から受信した検索結果に基づいて各文書の説明文を含む結果画面を表示させる結果データを生成し、結果データをユーザ端末３０に送信する。ユーザ端末３０は、受信した結果データに基づいて結果画面を出力する。
【００１３】
第１の実施の形態においては、ユーザ端末３０は、キーワードを含むWebページの検索を要求し、検索結果としてWebページの識別子とそのWebページに関する説明文が表示される検索システム１の一例を説明する。
【００１４】
《提供装置》
提供装置１０は、図１に示すように中央処理装置（CPU：central processing unit）１１、記憶装置１２、メモリ１３等を有する一般的なコンピュータであって、記憶装置１２に記憶される提供プログラムがCPU１１に読み込まれて実行されることで、受信部１１１、要求部１１２、取得部１１３、生成部１１４及び送信部１１５を備える提供装置１０が実装される。提供装置１０は、他に入力装置や出力装置を備えていてもよい。
【００１５】
受信部１１１は、ユーザ端末３０から送信された検索条件である検索用キーワードと、表示条件である表示用キーワードを受信する。ここで、検索条件は、文書の検索に使用される条件である。提供装置１０は、検索条件である検索用キーワードを含む文書を検索対象とする。また、表示条件は、説明文の生成に使用されるキーワードである。提供装置１０は、各文書の説明文を生成する際、表示条件である表示用キーワードを含むように説明文を生成する。
【００１６】
要求部１１２は、検索条件を含む検索リクエストを生成し、ネットワーク４０を介してデータベースサーバ２０に検索リクエストを送信する。この検索リクエストは、提供装置１０がデータベースサーバ２０に検索条件を含む文書の検索を要求するリクエストである。
【００１７】
取得部１１３は、ネットワーク４０を介してデータベースサーバ２０によって送信された検索結果を取得する。この検索結果は、データベースサーバ２０で検索条件にしたがって検索された複数の検索文書の識別子、検索文書のテキストデータ等を含んでいる。
【００１８】
生成部１１４は、検索結果に基づいて、検索文書の識別子及び抽出された検索文書に関する説明文を関連付けた結果データを生成する。具体的には、生成部１１４は、検索手段１１４ａ、抽出手段１１４ｂ及び並列手段１１４ｃを有している。
【００１９】
検索手段１１４ａは、取得部１１３が取得した検索結果に含まれる検索文書のテキストデータから表示条件である表示用キーワードを検索する。抽出手段１１４ｂは、検索手段１１４ａにおける検索で検索文書に表示条件である表示用キーワードが含まれる場合、表示条件を含む所定部分を検索文書から抽出する。また、抽出手段１１４ｂは、検索文書に表示条件である表示用キーワードが含まれない場合や検索リクエストとして表示用キーワードが含まれない場合、検索条件である検索キーワードを含む所定部分を検索文書から抽出する。並列手段１１４ｃは、検索文書の識別子と検索文書から抽出された所定部分を関連付けて並列した結果データを生成する。
【００２０】
送信部１１５は、生成部１１４によって生成された結果データをネットワーク４０を介してユーザ端末３０に送信する。
【００２１】
《データベースサーバ》
データベースサーバ２０は、図１に示すようにCPU２１、記憶装置２２、メモリ２３等を有する一般的なコンピュータであって、記憶装置２２に記憶される検索プログラムがCPU２１に読み込まれて実行されることで、受信部２１１、検索部２１２及び送信部２１３を備えるデータベースサーバ２０が実装される。データベースサーバ２０は、他に入力装置や出力装置を備えていてもよい。
【００２２】
記憶装置２２は、検索プログラムとともに、検索対象となる文書を記憶している。図１に示す記憶装置２２で記憶される文書は、文書の識別子であるURLによって識別され、テキストデータや画像データ等によって構成される一例である。記憶装置２２は、図１に示すように識別子によって識別される複数の文書を記憶している。
【００２３】
受信部２１１は、提供装置１０から送信された検索条件を含む検索リクエストを受信する。検索部２１２は、受信部２１１が受信した検索条件を含む文書を記憶装置２２から検索する。検索条件を含む文書とは、文書を構成するテキストデータに検索条件である検索用キーワードを含む文書をいう。送信部２１３は、検索部２１２で検索された検索文書を含む検索結果をネットワーク４０を介して提供装置１０に送信する。
【００２４】
《ユーザ端末》
ユーザ端末３０は、パーソナルコンピュータや携帯電話機等の一般的な情報処理端末であって、図１に示すように、CPU３１、記憶装置３２、メモリ３３とともに、キーボードやマウス等の入力装置３４及びディスプレイである出力装置３５を有している。ユーザ端末３０は、ユーザによって入力装置３４を介して検索条件及び表示条件であるキーワードが入力されると、キーワードを提供装置１０に送信する。ここで、ユーザは検索条件である検索用キーワードと表示条件である表示用キーワードとを入力することができる。またユーザ端末３０は、提供装置１０から結果データを受信すると、結果データに基づいて結果画面を出力装置３５に出力する。
【００２５】
〈検索処理〉
次に、図２に示すシーケンス図を用いて検索システムにおける検索処理について説明する。まず、ユーザ端末３０において、ユーザによって入力装置３４を介してキーワードが入力される（S1）。ユーザ端末３０は、キーワードが入力されると、入力されたキーワードを提供装置１０に送信する（S2）。
【００２６】
図３を用いて、キーワードの入力に使用される検索画面P1の一例を説明する。検索画面P1は、検索条件である検索用キーワードが入力される検索条件入力部b11、表示条件である表示用キーワードが入力される表示条件入力部b12及び入力されたキーワードを提供装置１０に送信する処理の実行の開始する実行ボタンb13を有し、ユーザ端末３０の出力装置３５に出力される。ユーザによって入力装置３４を介して検索条件入力部b11及び表示条件入力部b12にそれぞれキーワードが入力され、実行ボタンb13が押下されると、ユーザ端末３０は、検索用キーワード及び表示用キーワードを提供装置１０に送信する。図３に示す検索画面P1は、検索用キーワードが「時刻表」、「東京駅」、「高速バス」及び「平日」であり、表示用キーワードが「東京駅」の一例である。
【００２７】
提供装置１０において、受信部１１１がユーザ端末３０によって送信されたキーワードを受信すると、要求部１１２は、検索条件である検索用キーワードを含む検索リクエストを生成する（S3）。その後、要求部１１２は、生成した検索リクエストをデータベースサーバ２０に送信してWebページの検索をリクエストする（S4）。図３に示した例の場合、検索リクエストは、検索用キーワード「時刻表」、「東京駅」、「高速バス」及び「平日」を含んでおり、これらの検索用キーワードを含むWebページの検索を要求する。
【００２８】
データベースサーバ２０において、受信部２１１が検索リクエストを受信すると、検索部２１２は、検索リクエストが含む検索用キーワードにしたがって記憶装置２２から該当するWebページを検索する（S5）。検索部２１２で該当するWebページが検索されると、送信部２１３は、検索されたWebページに関するデータを検索結果として提供装置１０に送信する（S6）。図３に示した例の場合、検索結果は、検索用キーワード「時刻表」、「東京駅」、「高速バス」及び「平日」を含むWebページを識別するURL及びこれらのWebページのテキストデータを含んでいる。
【００２９】
提供装置１０は、取得部１１３が検索結果を取得すると、生成部１１４は、検索結果に基づいて結果画面の表示に用いられる結果データを生成する（S7）。結果データの生成処理については、図５を用いて後述する。生成部１１４で結果データが生成されると、送信部１１５は、結果データをユーザ端末３０に送信する（S8）。
【００３０】
ユーザ端末３０は、受信した結果データに基づいて出力装置３５に結果画面を出力し、その後の処理を継続する（S9）。
【００３１】
図４を用いて、検索の結果を表示する結果画面P2の一例を説明する。結果画面P2は、検索用キーワードによって検索された複数のWebページのタイトルb24、URLb25及び説明文b26を含んでいる。図４に示す結果画面P2は、検索用キーワードが「時刻表」、「東京駅」、「高速バス」及び「平日」であり、表示用キーワードが「東京駅」の場合の検索結果の一例である。
【００３２】
第１の実施形態においては、Webページの検索に関する処理であるため、ステップS9における結果画面P2の出力に続く処理としては、Webページの表示が考えられる。例えば入力装置３４を介して結果画面P2が含むいずれかのURLが選択されると、ユーザ端末３０は該当するWebサーバにアクセスし、出力装置３５に選択されたURLのWebページを表示させる。
【００３３】
なお、ユーザはS1においてキーワードを入力する際、検索用キーワードと表示用キーワードの両方を入力することもできるし、検索用キーワードのみを入力しても可能にしてもよい。検索用キーワードのみを入力した場合、提供装置１０は、従来と同様に検索用キーワードを用いて結果データを生成することが考えられる。また、検索用キーワードが入力されずに表示用キーワードのみが入力された場合、検索システム１では、エラーとし検索用キーワードの入力を促がしてもよいし、表示用キーワードを検索用キーワードとして代用してその後の検索処理を進めてもよい。
【００３４】
《結果データ生成処理》
続いて、図２に示したシーケンス図のステップS7において生成部１４で実行される結果データの生成処理の一例について、図５のフローチャートを用いて説明する。
【００３５】
取得部１１３で検索結果が受信されると、検索手段１１４ａは、検索結果が含むWebページのテキストデータから表示条件である表示用キーワードを検索する（S72）。
【００３６】
テキストデータから表示用キーワードが検索されると（S73でYES）、抽出手段１１４ｂは、テキストデータから表示用キーワードを含む一文を説明文として抽出する（S74）。一方、テキストデータに表示用キーワードが含まれていない場合（S73でNO）、抽出手段１１４ｂは、テキストデータから検索用キーワードを含む一文を説明文として抽出する（S75）。ステップS72〜S75の処理は、検索された各文書に対して実行される（S72）。
【００３７】
並列手段１１４ｃは、各WebページのURLを所定のルールに従って並列し、各URLに各Webページのタイトル及び抽出手段１１４ｂによって抽出された説明文を関連付けた結果データを生成する（S76）。
【００３８】
なお、テキストデータからキーワードを含む所定部分を抽出する際には、例えば、表示用キーワードを含む１センテンスを抽出する方法、表示用キーワードとともに表示用キーワードの前後２０文字数を抽出する方法、表示用キーワードを含む合計１００文字を抽出する方法等、様々な方法が考えられる。
【００３９】
また、並列手段１１４ｃにおけるURLの並列には、種々の方法が考えられるが、検索用キーワードを多く含むWebページを上位に並列する方法、表示用キーワードを多く含むWebページを上位に並列する方法等、様々な方法が考えられる。
【００４０】
上述したように、本発明の第１の実施形態に係る検索システム１は、文書を検索した検索の結果を表示する結果画面P2が含む文書の説明文を検索用キーワードではなく表示用キーワードを含むように生成する。このように表示用キーワードを用いた説明文を含む結果画面P2を表示することで、ユーザに有効な説明文を表示することができる。
【００４１】
［第２の実施形態］
第２の実施形態に係る検索システム２は、図６に示すように、図１に示した第１の実施形態に係る検索システム１と同様に提供装置１０、データベースサーバ２０及びユーザ端末３０がネットワーク４０によって接続される構成である。上述した第１の実施形態に係る検索システム１は、検索対象である文書がURLによって識別されるWebページの場合であるが、第２の実施形態に係る検索システム２は、文書が登録された日付（登録日）によって識別されるテキストデータを検索対象の文書としている。また検索システム２は、登録日をキーとして文書を検索する。このように、検索システム２は、図１を用いて説明した検索システム１と比較して、図６に示すように、データベースサーバ２０の記憶装置２２に記憶されている文書の形式が異なる。
【００４２】
検索システム２における検索処理についても、図３のフローチャートを用いて説明したように検索条件で検索された文書を、表示条件にしたがって表示する点では同一である。しかし、検索システム２は、検索システム１と比較して検索対象となる文書が異なるため、図７に示すように、検索条件及び表示条件を入力する検索画面P3が異なる。また、図８に示すように、検索結果を表示する結果画面P4も異なる。
【００４３】
第２の実施形態に係る検索システム２は、文書の登録日を検索条件とするため、図７に示すように検索画面P3の検索条件選択部b31,b32で検索の対象とする登録日の範囲を選択させる。また、システム２は、図７に示すように検索画面P3の表示条件選択部b33で検索結果の表示の対象とするキーワードを選択させる。
【００４４】
図７に示す例では、検索条件として検索条件選択部b31で「2006/10/1」が選択され、検索条件選択部b32で「2006/10/10」が選択されている。また、表示条件選択部b33で「inf」が選択されている。この図７に示す検索画面P3によれば、登録日が2006年10月1日から2006年10月10日までに登録された文書が検索され、その文書の「inf」を含む文字列が文書の説明文として抽出されて表示される。
【００４５】
ユーザ端末３０の出力装置３５に図７に示す検索画面P3が出力されている際に入力装置３４を介して実行ボタンb34が押下されると、ユーザ端末３０はネットワーク４０を介して提供装置１０に検索条件「2006/10/1」及び「2006/10/10」と、表示条件「inf」とを送信する。提供装置１０の受信部１１１でこれらの検索条件及び表示受信が受信されると、要求部１１２は、データベースサーバ２０に2006年10月1日から2006年10月10日の間に登録された文書の検索を要求する検索リクエストをネットワーク４０を介してデータベースサーバ２０に送信する。図７に示す検索画面P3では、検索条件及び表示条件を選択部b31,32,33から選択する方法であるが、選択する以外に、図４で示した場合と同様に、ユーザが自由に入力するようにした方法であってもよい。
【００４６】
データベースサーバ２０の受信部２１１で検索リクエストが受信されると、検索部２１２は、記憶装置２２から2006年10月1日から2006年10月10日の間に登録された文書を検索する。その後、送信部２１３は、検索部２１２における検索結果を送信する。取得部１１３で検索結果が取得されると、生成部１１４が表示条件「inf」を用いて結果データを生成し、生成された結果データは送信部１１５によってユーザ端末３０に送信される。送信された結果データに基づいて図８に示す結果画面P4がユーザ端末３０の出力装置３５に出力される。結果データの生成方法については様々考えられるが、図８に示す例では、テキストの先頭に表示条件を含む一例である。
【００４７】
結果画面P4は、図８に示すように検索結果を表示する検索結果表示部b45を有している。検索結果表示部b45では、検索条件である登録日に、文書を登録した登録者及び文書から表示条件にしたがって抽出された部分（テキスト）を関連付けている。検索結果が含む「テキスト」が、ユーザに文書の内容を把握させる説明文である。
【００４８】
上述したように、本発明の第２の実施形態に係る検索システム２は、文書を検索した検索の結果を表示する結果画面P4が含む文書の説明文を検索条件ではなく表示条件を含むように生成する。このように表示条件にしたがって定められた説明文を含む結果画面P4を表示することで、ユーザに有効な説明文を表示することができる。
【図面の簡単な説明】
【００４９】
【図１】本発明の第１の実施形態に係る検索システムの構成を説明する機能ブロック図である。
【図２】本発明の第１の実施形態に係る検索システムにおいて実行される検索処理の一例を説明するシーケンス図である。
【図３】本発明の第１の実施形態に係る検索システムのユーザ端末で出力される検索画面の一例である。
【図４】本発明の第１の実施形態に係る検索システムのユーザ端末で検索結果として出力される結果画面の一例である。
【図５】本発明の第１の実施形態に係る検索システムの提供装置で実行される結果画面の生成処理を説明するフローチャートである。
【図６】本発明の第２の実施形態に係る検索システムの構成を説明する機能ブロック図である。
【図７】本発明の第２の実施形態に係る検索システムのユーザ端末で出力される検索画面の一例である。
【図８】本発明の第２の実施形態に係る検索システムのユーザ端末で検索結果として出力される結果画面の一例である。
【図９】従来の検索システムにおいてユーザ端末で検索結果として出力される結果画面の一例である。
【符号の説明】
【００５０】
１，２…検索システム
１０…提供装置
１１…CPU
１１１…受信部
１１２…要求部
１１３…取得部
１１４…生成部
１１４ａ…検索手段
１１４ｂ…抽出手段
１１４ｃ…並列手段
１１５…送信部
１２…記憶装置
１３…メモリ
１４…生成部
２０…データベースサーバ
２１…CPU
２１１…受信部
２１２…検索部
２１３…送信部
２２…記憶装置
２３…メモリ
３０…ユーザ端末
３１…CPU
３２…記憶装置
３３…メモリ
３４…入力装置
３５…出力装置
４０…ネットワーク
【図１】
2008097433.tif 000003
【図２】
2008097433.tif 000004
【図３】
2008097433.tif 000005
【図４】
2008097433.tif 000006
【図５】
2008097433.tif 000007
【図６】
2008097433.tif 000008
【図７】
2008097433.tif 000009
【図８】
2008097433.tif 000010
【図９】
2008097433.tif 000011